(57)【要約】【課題】取付位置の自由度が高く、施工が容易であり、室内および室外への突出部分が少なく、メンテナンスも簡単な換気装置を提供する。【解決手段】換気装置１は、室外Ｓと室内Ｋとを区画する壁体１０を貫通して開設された開口部１１内に取り付けられた本体ケーシング１２と、室内Ｋに面する本体ケーシング１２の正面１２ｆに設けられた吸込口１３ａ付きのダクト１３と、室外Ｓに面する本体ケーシング１２の背面１２ｂに設けられた排出口１４と、吸込口１３ａから吸い込んだ気体を本体ケーシング１２内に設けた流路１５を経由して排出口１４から室外Ｓへ排出するため本体ケーシング１２内に配置された排気装置１６と、を備えている。ダクト１３は、水平方向の支軸１７を中心に、倒伏状態（垂下状態）から起立状態（水平状態）に至るまでの約９０度の範囲内で起伏可能であり、この範囲内の任意の位置で保持することができる。【選択図】図２
2007240087.tif 000002
【特許請求の範囲】
【請求項１】
室外と室内とを区画する壁体を貫通して開設された開口部内に着脱可能に取り付けられる本体ケーシングと、室内に面する前記本体ケーシングの正面に設けられた吸込口または吸込口付きのダクトと、室外に面する前記本体ケーシングの背面に設けられた排出口と、前記吸込口から吸い込んだ気体を前記本体ケーシング内に設けた流路を経由して前記排出口から室外へ排出するため前記本体ケーシング内に配置された排気装置と、を備えたことを特徴とする換気装置。
【請求項２】
前記ダクト内、前記流路内若しくは前記吸込口に気体浄化手段を着脱可能に配置した請求項１記載の換気装置。
【請求項３】
前記気体浄化手段として、Ｖ字構造のフィルタを配置した請求項２記載の換気装置。
【請求項４】
前記気体浄化手段における捕集物および付着物を回収するための回収手段を前記本体ケーシング内に設けた請求項２または３に記載の換気装置。
【請求項５】
前記ダクトが、前記本体ケーシングから突出可能および前記本体ケーシングに収納可能である請求項１〜４のいずれかに記載の換気装置。
【請求項６】
前記本体ケーシング、前記排気装置、前記気体浄化手段、前記回収手段のうちの少なくとも一つを室内側から着脱可能とした請求項１〜５のいずれかに記載の換気装置。
【発明の詳細な説明】
【技術分野】
【０００１】
本発明は、一般家庭のキッチンや飲食店の厨房などにおいて使用される換気装置に関する。
【背景技術】
【０００２】
一般家庭のキッチンなどに配備されている加熱調理器（例えば、電磁調理器）において調理を行っているときに発生する煙や蒸気などを屋外へ排出する換気装置として、従来、調理器周辺の壁体内に吸引ファンなどを配置したもの（例えば、特許文献１参照。）がある。
【０００３】
【特許文献１】特開２００４−３８２８号公報
【発明の開示】
【発明が解決しようとする課題】
【０００４】
特許文献１記載の換気装置（組込形吸気フード）は、室内の調理器側へ露出する部分が少なく、外観性は良好であるが、吸引ファンで吸い込んだ煙や蒸気などを外部へ排出するため、選択的に使用できる二つの排気口が設けられるとともに、内部ファンの吹き出し方向を何れか一方の排気口へ選択する機構が設けられている。従って、構造が複雑であり、施工も面倒である。また、外壁面に開口する一方の排気口を覆うルーフが外壁面から突出しているため、建築物の外観性を悪化させることがある。
【０００５】
本発明が解決しようとする課題は、取付位置の自由度が高く、施工が容易で、室内および室外への突出部分が少なく、メンテナンスも簡単な換気装置を提供することにある。
【課題を解決するための手段】
【０００６】
本発明の換気装置は、室外と室内とを区画する壁体を貫通して開設された開口部内に着脱可能に取り付けられる本体ケーシングと、室内に面する前記本体ケーシングの正面に設けられた吸込口または吸込口付きのダクトと、室外に面する前記本体ケーシングの背面に設けられた排出口と、前記吸込口から吸い込んだ気体を前記本体ケーシング内に設けた流路を経由して前記排出口から室外へ排出するため前記本体ケーシング内に配置された排気装置と、を備えたことを特徴とする。ここで、吸込口付きのダクトとは、室内の気体を吸込可能に開口した吸込口と、前記吸込口と前記流路と連通する気体経路を備えた部材をいい、前記吸込口から吸い込んだ気体を前記流路へ導入する機能を有する。
【０００７】
このような構成とすれば、内部に排気装置が配置された本体ケーシングが、壁体に開設された開口部内に取り付けられた構造となるため、室内および室外への突出部分を少なくすることができる。吸込口、排気装置および排出口を有する本体ケーシングを壁体に開設された開口部内に取り付ければ、換気装置を構成することができるため、取付位置の自由度が高く、施工も容易である。本体ケーシングは、壁体に開設された開口部内に着脱可能に取り付けられるため、施工後の取り外し、取り付けも可能であり、メンテナンスも簡単である。
【０００８】
ここで、前記ダクト内、前記流路内若しくは前記吸込口に気体浄化手段を着脱可能に配置すれば、吸込口から流入する気体中に含まれる油分や塵埃などを気体浄化手段で捕捉することができるため、油分や塵埃などが流路内に付着したり、室外へ排出されたりするのを防止することができる。なお、気体浄化手段は、本体ケーシング、ダクト若しくは吸込口に設けられた取り出し部から着脱可能とすれば、室内または室外から容易にメンテナンスすることができる。
【０００９】
また、前記気体浄化手段として、Ｖ字構造のフィルタを配置すれば、フィルタ全体における気流の通過面積を広く確保することができるため、圧力損失が低減されるだけでなく、メンテナンス頻度の軽減および油分捕集率の向上を図ることができる。なお、Ｖ字構造のフィルタの種類は特に限定するものではないが、例えば、吸込口から流入する気体中の油分を主に捕集するグリスフィルタなどが好適である。
【００１０】
一方、前記気体浄化手段における捕集物および付着物を回収するための回収手段を前記本体ケーシング内に設ければ、前記気体浄化手段における捕集物および付着物を構成する油分や水分などを回収することができるため、これらの捕集物や付着物が流路および排気装置へ浸入するのを防止することができ、換気装置を清潔に保つことができる。
【００１１】
また、前記ダクトを、前記本体ケーシングから突出可能および前記本体ケーシングに収納可能とすることもできる。ここで、ダクトは一定形状を保ちながら出し入れ可能なものに限定するものではなく、外力により変形しながら出し入れ可能なもの、例えば、可撓性を有するフレキシブルダクトなども含んでいる。
【００１２】
このような構成とすれば、本体ケーシングからダクトを突出させることにより、その吸込口を調理器に接近させることができるため、調理器付近で発生する煙や蒸気などを間近で効率良く吸い込むことができる。また、ダクトを本体ケーシングへ収納すれば、不使用時の室内への突出部分を少なくすることができる。
【００１３】
さらに、前記本体ケーシング、前記排気装置、前記気体浄化手段、前記回収手段のうちの少なくとも一つを室内側から着脱可能とすれば、必要に応じて、これらの構成部材を室内側から着脱することができるようになるため、施工後のメンテナンスも室内側から実行可能となり、メンテナンス性がさらに向上する。また、換気装置の取付作業を室内側から行うことが可能となるため、戸建住宅や集合住宅などにおいて、建物の二階以上の部分に台所がある場合でも、作業者が屋外に出ることなく、室内側から取付工事を行うことができる。このため、施工性は良好であり、取付作業や故障時の作業性、安全性も向上する。また、取付後においても、ユーザーは屋外に出ることなく、室内側からメンテナンスすることが可能となる。
【発明の効果】
【００１４】
本発明により、取付位置の自由度が高く、施工が容易で、室内および室外への突出部分が少なく、メンテナンスも簡単な換気装置を提供することができる。
【発明を実施するための最良の形態】
【００１５】
以下、図面に基づいて、本発明の実施の形態について説明する。図１は本発明の第一実施形態である換気装置を示す正面図、図２は図１におけるＡ−Ａ線断面図である。
【００１６】
図１，図２に示すように、本実施形態の換気装置１は、室外Ｓと室内Ｋとを区画する壁体１０を貫通して開設された開口部１１内に着脱可能に取り付けられた本体ケーシング１２と、室内Ｋに面する本体ケーシング１２の正面１２ｆに設けられた吸込口１３ａ付きのダクト１３と、室外Ｓに面する本体ケーシング１２の背面１２ｂに設けられた排出口１４と、吸込口１３ａから吸い込んだ気体を本体ケーシング１２内に設けた流路１５を経由して排出口１４から室外Ｓへ排出するため本体ケーシング１２内にその一部が収納された状態で配置された排気装置１６と、を備えている。壁体１０の室内Ｋ側には、電磁調理器ＩＨを備えた調理台ＫＴが配置され、換気装置１は、この電磁調理器ＩＨに臨む位置に設けられている。
【００１７】
換気装置１を構成するダクト１３は、水平方向の支軸１７を中心に、倒伏状態（垂下状態）から起立状態（水平状態）に至るまでの約９０度の範囲内において起伏可能に取り付けられ、この範囲内の任意の位置でその姿勢を保持することができる。ダクト１３が倒伏しているとき（支軸１７から下方へ垂下しているとき）は、本体ケーシング１２の正面に設けられた凹部１８に収納され、このとき、ダクト１３の表面パネル１３ｂは、本体ケーシング１２の正面と略同一面をなしている。排気装置１６は遠心ファンであるが、これに限定するものではない。
【００１８】
ダクト１３の表面パネル１３ｂの下方に設けられた取っ手１３ｃを引き出すと、ダクト１３が支軸１７を中心に回転し、本体ケーシング１２の正面１２ｆから徐々に起立していき、やがて略水平姿勢となる。このとき、ダクト１３の背面部および底面部に設けられた複数の吸込口１３ａが電磁調理器ＩＨに臨むように位置する。前述したように、ダクト１３は倒伏状態から起立状態に至るまでの約９０度の範囲内の任意の位置でその姿勢を保持することができる。ダクト１３内には、気体浄化手段であるフィルタ１９が着脱可能に配置されている。また、本体ケーシング１２内のダクト１３の下方には、抽斗式の油分回収手段２０が配置されている。油分回収手段２０の正面に設けられた取っ手２０ａを引き出すと、油分回収手段２０全体を本体ケーシング１２の正面１２ｆから取り出すことができる。
【００１９】
図１，図２に示す換気装置１においては、壁体１０に開設された開口部１１内に本体ケーシング１２が取り付けられ、この本体ケーシング１２内に排気装置１６の一部が収納された構造となるため、室内Ｋおよび室外Ｓへの突出部分を少なくすることができる。また、壁体１０に開設された開口部１１内に、吸込口１３ａ付きのダクト１３、排気装置１６および排出口１４を有する本体ケーシング１２を取り付ければ、換気装置１を構成することができるため、施工も容易である。また、本体ケーシング１２は開口部１１内に室内Ｋ側から着脱可能に取り付けられ、排気装置１６および油分回収手段２０も室内Ｋ側から着脱可能であるため、施工後のメンテナンス性も良好である。さらに、換気装置１の取付工事は、作業者が室外Ｓに出ることなく、室内Ｋ側から行うことができるため、戸建住宅や集合住宅などにおいて、建物の二階以上の部分に台所がある場合でも、屋外での高所作業は不要である。このため、施工性は良好であり、取付作業中および故障時の作業中の安全性にも優れている。
【００２０】
ダクト１３は、本体ケーシング１２の正面１２ｆに設けられた凹部１８に起伏可能に取り付けられているため、ダクト１３を起立させる（水平状態に突出させる）ことにより、ダクト１３に設けられた吸込口１３ａを電磁調理器ＩＨ上に接近させることができる。このため、稼働中の電磁調理器ＩＨ付近で発生する煙や蒸気などを間近で効率良く吸い込むことができる。また、ダクト１３を倒伏させれば（垂下状態にすれば）、凹部１８内にダクト１３が収納され、その表面パネル１３ｂは、本体ケーシング１２の正面１２ｆと略同一面をなすため、不使用時の室内Ｋへの突出部分をなくすことができる。なお、ダクト１３を本体ケーシング１２に出し入れする機構は、本実施形態の起伏方式に限定するものではないので、他の方式、例えば、本実施形態の起伏方式と逆方向の起伏方式若しくはフレキシブルダクトを使用した方式などを採用することもできる。
【００２１】
さらに、ダクト１３内には、気体浄化手段であるフィルタ１９が室内Ｋ側から着脱可能に配置されているため、吸込口１３ａからダクト１３内に流入する気体中に含まれる油分や塵埃などをフィルタ１９で捕捉することができる。このため、油分や塵埃などが換気装置１に内部に浸入せず、換気装置１を清潔に保つことができる。また、フィルタ１９は、ダクト１３に設けられた取り出し部（図示せず）を経由して室内Ｋ側から着脱可能であるため、メンテナンスも簡単である。
【００２２】
また、本体ケーシング１２内のダクト１３の下方には、抽斗式の油分回収手段２０が配置されているため、ダクト１３内に付着した油分を効率良く回収することができ、ダクト１３より下流に位置する排気装置１６などへの油分浸入を防止することができる。
【００２３】
次に、図３〜図６に基づいて、本発明の第二実施形態について説明する。図３は本発明の第二実施形態である換気装置を示す正面図、図４は図３に示す換気装置の背面図、図５は図３におけるＢ−Ｂ線断面図、図６は図３に示す換気装置の取り付け構造を示す垂直断面図である。なお、図３〜図６中で図１，図２中の符号と同符号を付している部分は、換気装置１の構成部分と同じ機能、効果を有する部分であり、説明を省略する。
【００２４】
図３〜図５に示すように、本実施形態の換気装置２は、室外Ｓと室内Ｋとを区画する壁体１０を貫通して開設された開口部１１内に着脱可能に取り付けられた本体ケーシング２２と、室内Ｋに面する本体ケーシング２２の正面２２ｆに設けられた吸込口２３と、室外Ｓに面する本体ケーシング２２の背面２２ｂに設けられた排出口２４と、吸込口２３から吸い込んだ気体を本体ケーシング２２内に設けた流路２５を経由して排出口２４から室外Ｓへ排出するため本体ケーシング２２内の底部寄りの領域に収納状態で配置された排気装置２６と、を備えている。
【００２５】
吸込口２３には、整流機能を有する吸込グリル２７が着脱可能に配置され、その正面を覆うように取っ手２１ａ付きの開閉扉２１が配置されている。開閉扉２１が閉止状態にあるとき、その表面は、本体ケーシング２２の正面２２ｆと略同一面をなしている。排気装置２６は遠心ファンであるが、これに限定するものではない。
【００２６】
本体ケーシング２２内の流路２５には、気体浄化手段であるフィルタ２９が着脱可能に配置されている。フィルタ２９は、本体ケーシング２２の背面２２ｂの上方に設けられた開閉扉２８ａを開くと現れる開口部２８から着脱可能である。また、本体ケーシング２２内のフィルタ２９の下方には、抽斗式の油分回収手段２０が配置されている。油分回収手段２０の正面にある取っ手２０ａを引き出すと、油分回収手段２０全体を本体ケーシング２２から取り出すことができる。
【００２７】
換気装置２において、吸込口２３の開閉扉２１を開いて排気装置２６を作動させると、電磁調理器ＩＨ付近で発生する煙や蒸気などは、吸込口２３から本体ケーシング２２内へ流入し、フィルタ２９を通過した後、流路２５を経由して排出口２４から室外Ｓへ排出される。吸込口２３には、整流機能を有する吸込グリル２７が配置されているため、電磁調理器ＩＨ付近で発生する煙や蒸気などは、吸込口２３に吸い込まれる前に吸込グリル２７で整流される。従って、吸込効率が高く、本体ケーシング２２内の流路２５内への異物の侵入も防止することができる。また、開閉扉２１は、電磁調理器ＩＨ付近で発生する煙や蒸気などを吸込口２３へ導くガイド機能も有しているので、煙や蒸気などを効率よく吸込口２３へ誘導することができる。
【００２８】
また、換気装置２は、壁体１０に開設された開口部１１内に本体ケーシング２２が収容され、この本体ケーシング２２内に排気装置２６全体が収納された構造であるため、室内Ｋおよび室外Ｓへの突出部分が存在しない。さらに、換気装置２は、壁体１０に開設された開口部１１内に、吸込口２３、排気装置２６および排出口２４を有する本体ケーシング２２を取り付けるだけで構成することができるため、施工も容易である。
【００２９】
従って、図６に示すように、壁体１０に開設された開口部１１に対し、室内Ｋ側から装入するようにして換気装置２を嵌め込み、ネジＮを用いて本体ケーシング２２の正面２２ｆの外周部を壁体１０に固定するだけで、施工することができる。この場合、壁体１０の室外Ｓ側において、開口部１１と本体ケーシング２２の外周部との隙間にシール材Ｐを充填すれば、雨水などの浸水を防止することができる。なお、図６は施工例の一つを示すものであり、これに限定するものではない。
【００３０】
一方、換気装置２においては、本体ケーシング２２内には、気体浄化手段であるフィルタ２９が室内Ｋ側から着脱可能に配置されているため、吸込口２３から本体ケーシング２２内に流入する気体中に含まれる油分や塵埃などをフィルタ２９によって捕捉することができる。従って、気体とともに吸い込まれた油分や塵埃などが流路２５内や排気装置２６内に付着したり、室外Ｓへ排出されたりすることがない。本実施形態おいては、フィルタ２９は金属板に多数の孔が開設された構造を有するグリスフィルタを用いているため、調理中に発生する油分などを効率良く回収することができるが、これに限定するものではない。
【００３１】
また、本体ケーシング２２には、抽斗式の油分回収手段２０が配置されているため、本体ケーシング２２の内面やフィルタ２９などに付着した油分を効率良く回収することができ、フィルタ２９よりも下流に位置する排気装置２６などへの油分浸入を防止することができる。本体ケーシング２２の背面２２ｂの開閉扉２８ａを開けば、フィルタ２９は開口部２８から着脱可能であるため、メンテナンスも容易である。また、吸込口２３の開閉扉２１を開けば吸込グリル２７は着脱可能であるため、吸込グリル２７自体のメンテナンスは勿論、本体ケーシング２２内のメンテナンスも室内Ｋ側から容易に行うことができる。
【００３２】
次に、図７〜図１１を参照し、本発明の第三実施形態について説明する。図７は本発明の第三実施形態である換気装置を示す正面図、図８は図７に示す換気装置の背面図、図９は図７におけるＣ−Ｃ線断面図、図１０は図７に示す換気装置の取り付け構造を示す垂直断面図、図１１は図９に示す換気装置の一部分解図である。なお、図７〜図１１において図１，図２中の符号と同符号を付している部分は、換気装置１の構成部分と同じ機能、効果を有する部分であり、説明を省略する。
【００３３】
図７〜図９に示すように、本実施形態の換気装置３は、室外Ｓと室内Ｋとを区画する壁体１０を貫通して開設された開口部１１内に室内Ｋ側から着脱可能に取り付けられた本体ケーシング３２と、室内Ｋに面する本体ケーシング３２の正面３２ｆに設けられた開閉扉３１付きの吸込口３３と、室外Ｓに面する本体ケーシング３２の背面３２ｂに設けられた排出口３４と、吸込口３３から吸い込んだ気体を本体ケーシング３２内に設けた流路３５を経由して排出口３４から室外Ｓへ排出するため本体ケーシング３２内の底部寄りの領域に収納状態で配置された排気装置２６と、を備えている。
【００３４】
吸込口３３には、整流機能を有する吸込グリル３７が着脱可能に配置され、その正面を覆うように取っ手３１ａ付きの開閉扉３１が配置されている。開閉扉３１が閉止状態にあるとき、その表面は、本体ケーシング３２の正面３２ｆと略同一面をなしている。排気装置２６は遠心ファンであるが、これに限定するものではない。
【００３５】
吸込口３３の上方には、外気を室内Ｋに導入するため、本体ケーシング３２内に流路３５と区画して形成された給気路３６と連通する給気口３６ａが設けられている。給気路３６の室外Ｓ側の開口部３６ｂにはフィルタ３６ｃが室内Ｋ側から着脱可能に取り付けられている。本体ケーシング３２内の流路３５には、気体浄化手段であるフィルタ３９が着脱可能に配置されている。フィルタ３９は、本体ケーシング３２の正面３２ｆの中央部に設けられた開閉扉３８を開くと現れる開口部から着脱可能である。また、本体ケーシング３２内のフィルタ３９の下方には、抽斗式の油分回収手段２０が配置されている。油分回収手段２０の正面にある取っ手２０ａを引き出すと、油分回収手段２０全体を本体ケーシング３２から取り出すことができる。
【００３６】
換気装置３において、吸込口３３の開閉扉３１を開いて排気装置２６を作動させると、電磁調理器ＩＨ付近で発生する煙や蒸気などは、吸込口３３から本体ケーシング３２内へ流入し、フィルタ３９を通過した後、流路３５を経由して排出口３４から室外Ｓへ排出される。吸込口３３には、整流機能を有する吸込グリル３７が配置されているため、電磁調理器ＩＨ付近で発生する煙や蒸気などは、吸込口３３に吸い込まれる前に吸込グリル３７で整流される。従って、吸込効率が高く、本体ケーシング３２内の流路３５内への異物の侵入も防止することができる。また、給気口３６ａから室内Ｋへ供給される外気によって煙や蒸気などが包み込まれ、煙や蒸気などの拡散が抑制されるため、吸込効率の向上に有効である。
【００３７】
また、換気装置３は、壁体１０に開設された開口部１１内に本体ケーシング３２が取り付けられ、この本体ケーシング３２内に排気装置２６全体が収納された構造であるため、室内Ｋおよび室外Ｓへの突出部分が存在しない。さらに、換気装置３は、給気路３６、吸込口３３、排気装置２６および排出口３４を有する本体ケーシング２２を壁体１０に開設された開口部１１内に取り付けるだけで構成することができるため、施工も容易である。
【００３８】
例えば、図１０に示すように、壁体１０の厚さと同程度の軸方向サイズを有する略四角筒状の外部ケーシング材４０を、壁体１０に開設された開口部１１に、室内Ｋ側から装入するようにして嵌め込み、本体部４０ｃの内周面から開口部１１へネジＮを螺着させて固定した後、この外部ケーシング材４０内へ換気装置３を嵌め込んで固定すれば、比較的容易に施工することができ、施工後のメンテナンスも簡単である。さらに、換気装置３の取付工事は、作業者が室外Ｓに出ることなく、室内Ｋ側から行うことができるため、戸建住宅や集合住宅などにおいて、建物の二階以上の部分に台所がある場合でも、屋外での高所作業は不要である。このため、施工性は良好であり、取付作業中および故障時の作業中の安全性も優れている。
【００３９】
外部ケーシング材４０は、壁体１０の厚さと同程度の軸方向サイズを有する四角筒状の本体部４０ｃと、本体部４０ｃの片方の端面から内側に張り出した縮径部４０ｂと、本体部４０ｃの他方の端面から外側へ張り出したフランジ部４０ａと、で構成されている。従って、外部ケーシング材４０の縮径部４０ｂに換気装置３の本体ケーシング３２の背面外周部分を当接させ、任意の固定手段を用いて固定することができる。この場合、縮径部４０ｂと本体ケーシング３２との間にパッキンを介在させることもできる。また、壁体１０の室外Ｓ側において、開口部１１と外部ケーシング材４０の外周部との隙間にシール材Ｐを充填すれば、雨水などの浸水を防止することができる。なお、図１０は施工例の一つを示すものであり、これに限定するものではない。
【００４０】
一方、換気装置３においては、本体ケーシング３２内に、Ｖ字構造をなすフィルタ３９が着脱可能に配置されているため、吸込口３３から本体ケーシング３２内に流入する気体中に含まれる油分や塵埃などをフィルタ３９で捕捉することができる。従って、気体とともに吸い込まれた油分や塵埃などが流路３５内や排気装置２６内に付着したり、室外Ｓへ排出されたりすることがない。Ｖ字構造をなすフィルタ３９を用いたことにより、気流の通過面積を広く確保することができるため、圧力損失が低減されるほか、メンテナンス頻度の軽減および油分捕集率の向上を図ることができる。また、フィルタ３９は、本体ケーシング３２の正面３２ｆの開閉扉３８を開けば室内Ｋ側から着脱可能であるため、室内Ｋ側からのメンテナンスを容易に行うことができる。
【００４１】
また、開閉扉３８の下方には抽斗式の油分回収手段２０が配置されているため、本体ケーシング３２の内面やフィルタ３９などに付着した油分を効率良く回収することができ、フィルタ３９よりも下流に位置する排気装置２６などへの油分浸入を防止することができる。また、吸込口３３の開閉扉３１を開けば吸込グリル３７は着脱可能であるため、吸込グリル３７自体のメンテナンスは勿論、本体ケーシング３２内のメンテナンスも室内Ｋ側から容易に行うことができる。
【００４２】
なお、本実施形態の本体ケーシング３２の室内Ｋ側の表面あるいは前述した実施形態の本体ケーシング１２，２２の表面に対し、コーティングや塗装などの手段により処理を施せば、表面に付着した油汚れなどを容易に払拭することができるようになり、メンテナンス性が向上し換気装置３を清潔に保つことができる。
【００４３】
前述したように、吸込グリル３７および油分回収手段２０は室内Ｋ側から本体ケーシング３２に着脱可能であるが、さらに、図１１に示すように、本体ケーシング３２正面の開閉扉３１を取り外せば、フィルタ３９および排気装置２６も本体ケーシング３２から取り出すことができる。このように、本体ケーシング３２内に配置されている主要な構成部材が室内Ｋ側から取り出し、取り付け可能であるため、これらの構成部材および本体ケーシング３２内の清掃およびメンテナンスなどを容易に行うことができる。
【００４４】
なお、本実施形態の本体ケーシング３２は一体構造であるが、これに限定するものではないので、本体ケーシング３２を、上部材と下部材または正面部材と背面部材などの複数部材に分割可能な構造とすることもできる。このような構成とすれば、前記上部材や前記正面部材などを取り外すことにより、本体ケーシング３２内に配置されている主要な構成部材の取り出し、取り付け作業を容易化することができ、メンテナンス性が向上する。
【産業上の利用可能性】
【００４５】
本発明の換気装置は、一般家庭のキッチンや飲食店の厨房などにおける換気システムとして広く利用することができる。
【図面の簡単な説明】
【００４６】
【図１】本発明の第一実施形態である換気装置を示す正面図である。
【図２】図１におけるＡ−Ａ線断面図である。
【図３】本発明の第二実施形態である換気装置を示す正面図である。
【図４】図３に示す換気装置の背面図である。
【図５】図３におけるＢ−Ｂ線断面図である。
【図６】図３に示す換気装置の取り付け構造を示す垂直断面図である。
【図７】本発明の第三実施形態である換気装置を示す正面図である。
【図８】図７に示す換気装置の背面図である。
【図９】図７におけるＣ−Ｃ線断面図である。
【図１０】図７に示す換気装置の取り付け構造を示す垂直断面図である。
【図１１】図９に示す換気装置の一部分解図である。
【符号の説明】
【００４７】
１，２，３  換気装置
１０  壁体
１１，２８，３６ｂ  開口部
１２，２２，３２  本体ケーシング
１２ｂ，２２ｂ，３２ｂ  背面
１２ｆ，２２ｆ，３２ｆ  正面
１３  ダクト
１３ａ，２３，３３  吸込口
１３ｂ  表面パネル
１３ｃ，２０ａ，２１ａ，３１ａ  取っ手
１４，２４，３４  排出口
１５，２５，３５  流路
１６，２６  排気装置
１７  支軸
１８  凹部
１９，２９，３６ｃ，３９  フィルタ
２０  油分回収手段
２１，２８ａ，３１，３８  開閉扉
２７，３７  吸込グリル
３６  給気路
３６ａ  給気口
４０  外部ケーシング材
４０ａ  フランジ部
４０ｂ  縮径部
４０ｃ  本体部
Ｋ  室内
Ｎ  ネジ
Ｐ  シール材
Ｓ  室外
【図１】
2007240087.tif 000003
【図２】
2007240087.tif 000004
【図３】
2007240087.tif 000005
【図４】
2007240087.tif 000006
【図５】
2007240087.tif 000007
【図６】
2007240087.tif 000008
【図７】
2007240087.tif 000009
【図８】
2007240087.tif 000010
【図９】
2007240087.tif 000011
【図１０】
2007240087.tif 000012
【図１１】
2007240087.tif 000013